(57)【要約】【課題】電子辞書等の情報表示制御装置において、一の集合情報から検索した見出語候補に適合する見出語及び当該見出語に対応する説明情報を、他の集合情報から適切に読み出して表示する。【解決手段】ＣＰＵ１００は、百科事典キーが押下されて、国語辞典逆引き見出語検索方式が指定された場合に、国語辞典ＤＢ５０１に記憶されている見出語から、入力文字を語尾とする見出語を検索する。次いで、ＣＰＵ１００は、検索された逆引き見出語の内、百科事典ＤＢ５０３に記憶されている見出語と一致する逆引き見出語を抽出し、抽出した抽出逆引き見出語を一覧表示する。一覧表示した抽出逆引き見出語の内、一の抽出逆引き見出語が選択されて、訳／決定キーが押下されたると、ＣＰＵ１００は、選択された抽出逆引き見出語に対応する説明情報を百科事典ＤＢ５０３から読み出して表示する。【選択図】  図２
2004295739.tif 000002
【特許請求の範囲】
【請求項１】
見出語と、当該見出語の説明情報とが対応付けられた情報を集合した第１の集合情報及び第２の集合情報を記憶する記憶手段と、
入力文字を入力する入力手段と、
前記入力された入力文字に適合する見出語を、前記第２の集合情報に含まれる見出語から検索する見出語検索手段と、
この見出語検索手段により検索された見出語のうち、前記第１の集合情報に含まれる見出語を抽出して表示する制御を行う見出語表示制御手段と、
この見出語表示制御手段により表示された見出語のうち、一の見出語を指定する見出語指定手段と、
この見出語指定手段により指定された見出語に適合する見出語及び当該見出語に対応する説明情報を、前記第１の集合情報から読み出して表示する制御を行う説明情報表示制御手段と、
を備えることを特徴とする情報表示制御装置。
【請求項２】
第１の集合情報用の第１ウィンドウと、第２の集合情報用の第２ウィンドウとを表示する制御を行うウィンドウ表示制御手段を更に備え、
前記見出語表示制御手段は、前記抽出した見出語を前記第２ウィンドウに表示する制御を行う見出語表示先制御手段を有し、
前記説明情報表示制御手段は、前記第１の集合情報から読み出した見出語及び説明情報を前記第１ウィンドウに表示する制御を行う情報表示先制御手段を有する、
ことを特徴とする請求項１に記載の情報表示制御装置。
【請求項３】
前記見出語表示制御手段は、前記抽出した見出語を一覧表示する制御を行う見出語一覧表示制御手段を有し、
前記見出語指定手段は、前記見出語一覧表示手段により一覧表示された見出語の中から一の見出語を指定する抽出見出語指定手段を有することを特徴とする請求項１又は２に記載の情報表示制御装置。
【請求項４】
前記見出語一覧表示制御手段は、前記見出語検索手段により検索された見出語を一覧表示するとともに、前記抽出した見出語に所定の識別子を付して表示する制御を行う識別子表示制御手段を有することを特徴とする請求項３に記載の情報表示制御装置。
【請求項５】
所定の通信回線を介して利用者端末と接続されるサーバにおいて、
見出語と、当該見出語の説明情報とが対応付けられた情報を集合した第１の集合情報及び第２の集合情報を記憶する記憶手段と、
入力文字を前記利用者端末から受信する入力文字受信手段と、
前記受信した入力文字に適合する見出語を、前記第２の集合情報に含まれる見出語から検索する見出語検索手段と、
この見出語検索手段により検索された見出語のうち、前記第１の集合情報に含まれる見出語を抽出して前記利用者端末に送信する第１送信手段と、
この第１送信手段によって送信した見出語のうち、一の見出語を指定する見出語指定情報を受信する見出語受信手段と、
前記受信した見出語指定情報により指定された見出語に適合する見出語及び当該見出語に対応する説明情報を、前記第１の集合情報から読み出して前記利用者端末に送信する第２送信手段と、
を備えることを特徴とするサーバ。
【請求項６】
コンピュータに、
見出語と、当該見出語の説明情報とが対応付けられた情報を集合した第１の集合情報及び第２の集合情報を記憶する記憶機能と、
入力文字を入力する入力機能と、
前記入力された入力文字に適合する見出語を、前記第２の集合情報に含まれる見出語から検索する見出語検索機能と、
この見出語検索機能により検索された見出語のうち、前記第１の集合情報に含まれる見出語を抽出して表示する制御を行う見出語表示制御機能と、
この見出語表示制御機能により表示された見出語のうち、一の見出語を指定する見出語指定機能と、
この見出語指定機能により指定された見出語に適合する見出語及び当該見出語に対応する説明情報を、前記第１の集合情報から読み出して表示する制御を行う説明情報表示制御機能と、
を実現させるためのプログラム。
【請求項７】
所定の通信回線を介して利用者端末と接続されるコンピュータに、
見出語と、当該見出語の説明情報とが対応付けられた情報を集合した第１の集合情報及び第２の集合情報を記憶する記憶機能と、
入力文字を前記利用者端末から受信する入力文字受信機能と、
前記受信した入力文字に適合する見出語を、前記第２の集合情報に含まれる見出語から検索する見出語検索機能と、
この見出語検索機能により検索された見出語のうち、前記第１の集合情報に含まれる見出語を抽出して前記利用者端末に送信する第１送信機能と、
この第１送信機能によって送信した見出語のうち、一の見出語を指定する見出語指定情報を受信する見出語受信機能と、
前記受信した見出語指定情報により指定された見出語に適合する見出語及び当該見出語に対応する説明情報を、前記第１の集合情報から読み出して前記利用者端末に送信する第２送信機能と、
を実現させるためのプログラム。
【発明の詳細な説明】
【０００１】
【発明の属する技術分野】
本発明は、情報表示制御装置、サーバ及びプログラムに関する。
【０００２】
【従来の技術】
従来から、国語辞典、英和辞典、和英辞典等の各種辞典等、数種類の電子辞書データが組み込まれた電子辞書と呼ばれる情報表示制御装置が知られている。この電子辞書データには、見出語と、当該見出語の説明情報とが対応付けられて記憶されており、ユーザは、検索語を指定することにより、検索語と一致する見出語の説明情報を表示させることができる。
【０００３】
また、辞書等の集合情報から見出語を検索するための検索方式を複数備えたものが知られている。例えば、特許文献１に開示されているように、検索方式として、前方一致検索と後方一致検索の何れかが選択可能な情報検索装置が知られている。具体的には、後方一致検索が選択された場合に検索文字の先頭に特殊文字を挿入し、検索文字の先頭文字を判別することにより検索方式を選択する。
【０００４】
また、電子辞書等の情報表示制御装置において、検索方式を複数備えるものとして、例えば、逆引き検索やキーワード検索、スペルチェック等、辞書等の集合情報毎に固有の検索方式を備えたものが知られている。ユーザは、検索方式を指定することにより、指定した検索方式により、入力文字に適合する見出語候補を該当する集合情報から検索することができる。
【０００５】
【特許文献１】
特開平０８−２８７０９９号公報
【０００６】
【発明が解決しようとする課題】
しかしながら、上記したような集合情報毎に固有の機能として提供されている各検索方式では、検索された見出語候補をもとに、他の辞書から直接検索することができなかった。このため、一覧表示した見出語候補から見出語を選択し、当該見出語の説明情報を表示させた後、電子辞書が有するジャンプ機能を利用して他の辞書にジャンプする必要があった。電子辞書が有するジャンプ機能とは、見出語に対する説明情報が表示される際に、その説明情報中の一部の文字列を指定して、当該指定した文字列を検索語として、再度検索を行う機能のことである。
【０００７】
本発明は、上記した従来の事情に鑑みてなされたものであり、電子辞書等の情報表示制御装置において、一の集合情報から検索した見出語候補に適合する見出語及び当該見出語に対応する説明情報を、他の集合情報から適切に読み出して表示する制御を行うことを目的とする。
【０００８】
【課題を解決するための手段】
以上の課題を解決するため、請求項１に記載の発明の情報表示制御装置は、
見出語と、当該見出語の説明情報とが対応付けられた情報を集合した第１の集合情報及び第２の集合情報を記憶する記憶手段（例えば、図２に示す国語辞書ＤＢ５０１，百科事典ＤＢ５０３）と、
入力文字を入力する入力手段（例えば、図２に示す入力装置２００：図８に示すステップＳ１０６）と、
前記入力された入力文字に適合する見出語を、前記第２の集合情報に含まれる見出語から検索する見出語検索手段（例えば、図２に示すＣＰＵ１００：図８に示すステップＳ１０８）と、
この見出語検索手段により検索された見出語のうち、前記第１の集合情報に含まれる見出語を抽出して表示する制御を行う見出語表示制御手段（例えば、図２に示すＣＰＵ１００：図８に示すステップＳ１１０）と、
この見出語表示制御手段により表示された見出語のうち、一の見出語を指定する見出語指定手段（例えば、図２に示す入力装置２００：図８に示すＳ１１２）と、
この見出語指定手段により指定された見出語に適合する見出語及び当該見出語に対応する説明情報を、前記第１の集合情報から読み出して表示する制御を行う説明情報表示制御手段（例えば、図２に示すＣＰＵ１００：図８に示すステップＳ１１６）と、
を備えることを特徴としている。
【０００９】
また、請求項６に記載の発明のプログラムは、
コンピュータに、
見出語と、当該見出語の説明情報とが対応付けられた情報を集合した第１の集合情報及び第２の集合情報を記憶する記憶機能（例えば、図２に示す国語辞書ＤＢ５０１，百科事典ＤＢ５０３）と、
入力文字を入力する入力機能（例えば、図２に示す入力装置２００：図８に示すステップＳ１０６）と、
前記入力された入力文字に適合する見出語を、前記第２の集合情報に含まれる見出語から検索する見出語検索機能（例えば、図２に示すＣＰＵ１００：図８に示すステップＳ１０８）と、
この見出語検索機能により検索された見出語のうち、前記第１の集合情報に含まれる見出語を抽出して表示する制御を行う見出語表示制御機能（例えば、図２に示すＣＰＵ１００：図８に示すステップＳ１１０）と、
この見出語表示制御機能により表示された見出語のうち、一の見出語を指定する見出語指定機能（例えば、図２に示す入力装置２００：図８に示すＳ１１２）と、
この見出語指定機能により指定された見出語に適合する見出語及び当該見出語に対応する説明情報を、前記第１の集合情報から読み出して表示する制御を行う説明情報表示制御機能（例えば、図２に示すＣＰＵ１００：図８に示すステップＳ１１６）と、
を実現させることを特徴としている。
【００１０】
この請求項１又は６に記載の発明によれば、第２の集合情報に含まれる見出語から入力文字に適合する見出語を検索し、検索した見出語の内、第１の集合情報に含まれる見出語を抽出して表示することができる。そして、表示した見出語から一の見出語が指定された際に、指定された見出語に対応する説明情報を第１の集合情報から読み出して表示することができる。従って、第２の集合情報から検索した見出語に基づいて、適合する見出語及び当該見出語に対応する説明情報を第１の集合情報から適切に読み出して表示することができる。
【００１１】
請求項２に記載の発明は、請求項１に記載の情報表示制御装置において、
第１の集合情報用の第１ウィンドウ（例えば、図１８に示す百科事典検索用ウィンドウＷ３０）と、第２の集合情報用の第２ウィンドウ（例えば、図１８に示す国語辞典検索用ウィンドウＷ４０）とを表示する制御を行うウィンドウ表示制御手段（例えば、図２に示すＣＰＵ１００：図１７に示すステップＳ３０４）を更に備え、
前記見出語表示制御手段は、前記抽出した見出語を前記第２ウィンドウに表示する制御を行う見出語表示先制御手段（例えば、図２に示すＣＰＵ１００：図１７に示すステップＳ３１２）を有し、
前記説明情報表示制御手段は、前記第１の集合情報から読み出した見出語及び説明情報を前記第１ウィンドウに表示する制御を行う情報表示先制御手段（例えば、図２に示すＣＰＵ１００：図１７に示すステップＳ３１８）を有する、
ことを特徴としている。
【００１２】
この請求項２に記載の発明によれば、第１の集合情報用の第１ウィンドウと、第２の集合情報用の第２ウィンドウとを表示することができる。そして、第２ウィンドウにおいて、入力文字をもとに第２の集合情報から検索した見出語であって、当該検索した見出語の中から抽出した第１の集合情報に含まれる見出語を表示し、第１ウィンドウにおいて、第１の集合情報から読み出した見出語及び説明情報を表示することができる。
【００１３】
請求項３に記載の発明は、請求項１又は２に記載の情報表示制御装置において、
前記見出語表示制御手段は、前記抽出した見出語を一覧表示する制御を行う見出語一覧表示制御手段（例えば、図２に示すＣＰＵ１００：図８に示すステップＳ１１０）を有し、
前記見出語指定手段は、前記見出語一覧表示手段により一覧表示された見出語の中から一の見出語を指定する抽出見出語指定手段（例えば、図２に示す入力装置２００：図８に示すステップＳ１１２）を有することを特徴としている。
【００１４】
この請求項３に記載の発明によれば、入力文字をもとに第２の集合情報から検索した見出語であって、当該検索した見出語の中から抽出した第１の集合情報に含まれる見出語を、一覧表示することができる。そして、一覧表示した見出語から指定された一の見出語に対応する説明情報を第１の集合情報から読み出して表示することができる。従って、第２の集合情報から検索した見出語に基づいて、適合する見出語及び説明情報を第１の集合情報から適切に読み出して表示することができる。
【００１５】
請求項４に記載の発明は、請求項３に記載の情報表示制御装置
前記見出語一覧表示制御手段は、前記見出語検索手段により検索された見出語を一覧表示するとともに、前記抽出した見出語に所定の識別子を付して表示する制御を行う識別子表示制御手段（例えば、図２に示すＣＰＵ１００：図１７に示すステップＳ３１２）を有することを特徴としている。
【００１６】
この請求項４に記載の発明によれば、入力文字をもとに第２の集合情報から検索した見出語を一覧表示するとともに、一覧表示した見出語の内、第１の集合情報に含まれる見出語に所定の識別子を付して表示することができる。
【００１７】
請求項５に記載の発明は、
所定の通信回線を介して利用者端末と接続されるサーバにおいて、
見出語と、当該見出語の説明情報とが対応付けられた情報を集合した第１の集合情報及び第２の集合情報を記憶する記憶手段（例えば、図２３に示すＣＰＵ７０２）と、
入力文字を前記利用者端末から受信する入力文字受信手段（例えば、図２３に示す通信装置７１４）と、
前記受信した入力文字に適合する見出語を、前記第２の集合情報に含まれる見出語から検索する見出語検索手段（例えば、図２３に示すＣＰＵ７０２）と、
この見出語検索手段により検索された見出語のうち、前記第１の集合情報に含まれる見出語を抽出して前記利用者端末に送信する第１送信手段（例えば、図２３に示すＣＰＵ７０２，通信装置７１４）と、
この第１送信手段によって送信した見出語のうち、一の見出語を指定する見出語指定情報を受信する見出語受信手段（例えば、図２３に示す通信装置７１４）と、
前記受信した見出語指定情報により指定された見出語に適合する見出語及び当該見出語に対応する説明情報を、前記第１の集合情報から読み出して前記利用者端末に送信する第２送信手段（例えば、図２３に示すＣＰＵ７０２，通信装置７１４）と、
を備えることを特徴としている。
【００１８】
また、請求項７に記載の発明のプログラムは、
所定の通信回線を介して利用者端末と接続されるコンピュータに、
見出語と、当該見出語の説明情報とが対応付けられた情報を集合した第１の集合情報及び第２の集合情報を記憶する記憶機能（例えば、図２３に示すＣＰＵ７０２）と、
入力文字を前記利用者端末から受信する入力文字受信機能（例えば、図２３に示す通信装置７１４）と、
前記受信した入力文字に適合する見出語を、前記第２の集合情報に含まれる見出語から検索する見出語検索機能（例えば、図２３に示すＣＰＵ７０２）と、
この見出語検索機能により検索された見出語のうち、前記第１の集合情報に含まれる見出語を抽出して前記利用者端末に送信する第１送信機能（例えば、図２３に示すＣＰＵ７０２，通信装置７１４）と、
この第１送信機能によって送信した見出語のうち、一の見出語を指定する見出語指定情報を受信する見出語受信機能（例えば、図２３に示す通信装置７１４）と、
前記受信した見出語指定情報により指定された見出語に適合する見出語及び当該見出語に対応する説明情報を、前記第１の集合情報から読み出して前記利用者端末に送信する第２送信機能（例えば、図２３に示すＣＰＵ７０２，通信装置７１４）と、
を実現させることを特徴としている。
【００１９】
この請求項５又は７に記載の発明によれば、サーバ又はコンピュータにおいて入力文字を受信した際に、第２の集合情報に含まれる見出語から入力文字に適合する見出語を検索し、検索した見出語の内の第１の集合情報に含まれる見出語を抽出して、利用者端末に送信することができる。そして、サーバ又はコンピュータにおいて、送信した見出語の内の一の見出語が指定された見出語指定情報を受信した際に、当該見出語指定情報により指定された見出語に対応する説明情報を第１の集合情報から読み出して利用者端末に送信することができる。
【００２０】
【発明の実施の形態】
以下、図１〜図２３を参照して、本発明に係る情報表示制御装置を折りたたみ式の携帯型電子辞書（以下、単に「電子辞書」という。）に適用した場合の実施の形態について詳細に説明する。
【００２１】
電子辞書には、国語辞典、英和辞典、和英辞典、英英辞典等の各種辞典、各種用語辞典、百科事典といった種々の辞書種別の電子辞典や電子事典のデータ（辞書データベース）が内蔵されている。辞書データベース（以下、データベースを「ＤＢ」という。）とは、見出語と、当該見出語を説明・解説等するための文字データ、静止画像データ、動画データ、音声データ等が記憶された説明情報とが対応付けられた情報を集合した集合情報であり、コンピュータを用いて検索処理することができるように体系的に構成したものである。ユーザは、辞書種別を選択して文字を入力（以下、「入力文字」という。）することにより、当該入力文字の解説等を表示させることができる。
【００２２】
図１（ａ）に、電子辞書１の斜視概観図の一例を示す。同図に示すように、電子辞書１は、ディスプレイ１０と、キー群２０とを備えて構成されている。キー群２０を構成する各キーにはそれぞれ固有の機能が割り当てられており、ユーザは、これらのキーを押下して電子辞書１を操作する。
【００２３】
図１（ｂ）に、キー群２０のキー配列の一例を示す。同図に示すように、キー群２０は、電源のＯＮ／ＯＦＦを切り替える電源キー２１、入力文字を入力する文字入力キー２３、説明情報の表示指示や操作の確定指示等を入力するの訳／決定キー２５、カーソルの移動方向等を指示する方向指示キー２７、指定した単語へのジャンプキー２９、ヒストリ見出語を一覧表示するヒストリキー３１、辞書検索を並列で行うための並列検索キー３２、前回表示した画面等に戻るための戻るキー３３、検索対象の辞書種別を指定するための辞書種別キー３５等を備えて構成される。同図に示す電子辞書１では、辞書種別キー３５として、国語辞典を指定する国語辞典キー、英和辞典を指定する英和辞典キー３５ｂ、和英辞典を指定する和英辞典キー３５ｃ、百科事典を指定する百科事典キー３５ｄを備えている。
【００２４】
尚、本発明の実施の形態における電子辞書は、特に、国語辞典と百科事典の辞書ＤＢを内蔵していることとする。以下、国語辞典の辞書ＤＢである国語辞典ＤＢ、及び百科事典の辞書ＤＢである百科事典ＤＢを包括して、適宜「辞書ＤＢ」という。
【００２５】
〔第１の実施の形態〕
先ず、本発明を適用した電子辞書の第１の実施の形態について説明する。図２は、第１の実施の形態における電子辞書１の機能構成の一例を示すブロック図である。同図に示すように、電子辞書１は、ＣＰＵ１００、入力装置２００、表示装置３００、ＲＡＭ４００、ＲＯＭ５００の各機能部を備えて構成される。
【００２６】
ＣＰＵ１００は、入力される指示に応じて所定のプログラムに基づいた処理を実行し、各機能部への指示やデータの転送等を行い、電子辞書１を統括的に制御する。具体的には、ＣＰＵ１００は、入力装置２００から入力される押下信号等に応じてＲＯＭ５００に格納されたプログラムを読み出し、当該プログラムに従って処理を実行する。そして、処理結果をＲＡＭ４００に保存するとともに、当該処理結果を表示するための表示信号を適宜表示装置３００に出力して、対応した表示情報を表示させる。
【００２７】
入力装置２００は、仮名やアルファベット等の文字入力や機能選択等に必要なキー群を備え、押下されたキーの押下信号等をＣＰＵ１００に出力する。この入力装置２００は、図１に示すキー群２０に相当し、上記した辞書種別の指定、入力文字の入力、説明情報の表示指示、ジャンプ実行指示、ヒストリ一覧の表示指示等の入力手段が実現される。
【００２８】
表示装置３００は、ＣＰＵ１００から入力される表示信号に基づいて各種画面を表示させるものであり、ＬＣＤ等により構成される。この表示装置３００は、図１に示すディスプレイ１０に相当する。
【００２９】
ＲＡＭ４００は、ＣＰＵ１００が実行する各種プログラムや、これらプログラムの実行に係るデータ等を一時的に保持するメモリ領域を備える。特に、第１の実施の形態を実現するため、逆引き見出語格納領域４０１と、抽出逆引き見出語格納領域４０３とを備える。
【００３０】
ＲＯＭ５００には、各種初期設定、ハードウェアの検査、又は必要なプログラムのロード等を行うための初期プログラムが格納される。ＣＰＵ１００は、電子辞書１の電源投入時においてこの初期プログラムを実行することにより、電子辞書１の動作環境を設定する。
【００３１】
また、ＲＯＭ５００には、電子辞書１の動作に係る各種処理プログラムや電子辞書１の備える種々の機能を実現するためのプログラムやデータが格納される。特に、第１の実施の形態を実現するため、国語辞典ＤＢ５０１と、百科事典ＤＢ５０３と、辞書検索プログラム５０５とが格納され、辞書検索プログラム５０５は、国語辞典用逆引き検索プログラム５０５ａと、第１逆引き見出語抽出プログラム５０５ｂとを備える。
【００３２】
電子辞書１は、上記した各辞書ＤＢに記憶されている見出語を検索するための種々の検索方式を提供している。ユーザは、辞書種別キー３５を押下して検索対象の辞書ＤＢ（以下、「指定辞書ＤＢ」という。）を指定し、当該指定辞書ＤＢに記憶されている見出語の検索に利用可能な検索方式を選択することにより、該当する検索方式に基づいて、入力文字に適合する見出語候補を検索することができる。
【００３３】
例えば、電子辞書１は、国語辞典ＤＢ５０１に記憶されている見出語を検索するための検索方式として、入力文字と前方一致する見出語を検索する通常検索方式と、入力文字を語尾とする見出語を検索する逆引き検索方式と、入力文字を含む慣用句を検索する慣用句検索方式とを備えている。
【００３４】
また、百科事典ＤＢ５０３に記憶されている見出語を検索するための検索方式として、入力文字と前方一致する見出語を検索する通常検索方式と、入力文字を含む説明情報に対応付けられた見出語を検索するキーワード検索方式と、国語辞典逆引き見出語検索方式とを備えている。国語辞典逆引き見出語検索方式の詳細については後述する。
【００３５】
ＣＰＵ１００は、辞書検索プログラム５０５に従って辞書検索処理を実行することにより、上記した各検索方式による検索を実現する。
【００３６】
具体的には、通常検索方式が指定された場合に、ＣＰＵ１００は、先ず、辞書種別キー３５の押下操作に応じて指定辞書ＤＢを決定する。ここで、各辞書ＤＢの蓄積形式について説明する。図３は、国語辞典ＤＢ５０１の蓄積形式の一例を示す図である。同図に示すように、集合情報の１つである国語辞典ＤＢ５０１には、見出語と、追加見出語と、説明情報とが対応付けられた辞書データ（情報）が蓄積（集合）される。追加見出語には、対応する見出語を、当該見出語と異なる文字種別で表記した文字列が格納される。例えば、レコードＬ１０に示す辞書データにおいて、見出語“あかんこ”の追加見出語として、“あかんこ”を漢字表記した“阿寒湖”が格納されている。また、説明情報には、該当する見出語を説明するための文字データである説明情報が格納される。
【００３７】
図４は、百科事典ＤＢ５０３の蓄積形式の一例を示す図である。同図に示すように、百科事典ＤＢ５０３には、見出語と、追加見出語と、説明情報とが対応付けられた辞書データが蓄積される。説明情報には、対応する見出語を説明・解説する語義情報と、当該語義情報中に含まれるキーワードとが格納される。例えば、レコードＬ２０に示す辞書データにおいて、見出語“いせしまこくりつこうえん”の説明情報には、キーワードとして、語義情報中に含まれる文字列“しんじゅようしょく”，・・・が格納されている。
【００３８】
そして、ＣＰＵ１００は、入力文字の入力操作に応じて、見出語候補一覧表示処理を実行する。見出語候補一覧表示処理とは、説明情報の表示対象とする見出語を決定するためにＣＰＵ１００が実行する処理であり、説明情報の表示に先立って実行される処理である。また、見出語候補とは、説明情報の表示対象の見出語となり得る見出語の候補のことであり、ユーザが入力装置２００から入力した入力文字を基に、ＣＰＵ１００によって指定辞書ＤＢから検索される。ここで、ユーザが、辞書種別“国語辞典”を指定して“明細書”という語句の意味を調べる場合を具体例に挙げ、図５を参照して見出語候補一覧表示処理について説明する。
【００３９】
“明細書”という語句の意味を調べるために、ユーザは“め”“い”“さ”“い”“しょ”（或いは“し”“ょ”）の順で入力文字を入力していく。このとき、ＣＰＵ１００は、各文字が入力される毎に、当該時点までに入力された入力文字から始まる見出語を国語辞典ＤＢ５０１から随時検索し、見出語候補として一覧表示する。図５（ａ）は、“め”“い”と入力された状態の画面例である。国語辞典ＤＢ５０１に記憶された見出語のうち、入力文字Ｉ１００である“めい”で始まる見出語が検索され、見出語候補一覧Ｔ１００として表示されている。図５（ｂ）は、（ａ）に続いて“さ”“い”と入力された状態の画面例である。入力文字Ｉ１０２である“めいさい”で始まる見出語を始めとする“めいさい”に適合する見出語が、見出語候補一覧Ｔ１０２として表示されている。
【００４０】
図５において、見出語候補一覧Ｔ１００，Ｔ１０２に表示された見出語候補のうち、１つの見出語候補が反転表示され、選択マーカＭ１００として表示されている。ユーザは、方向指示キー２７を押下操作することにより選択マーカＭ１００を上下に移動させて、他の見出語候補を反転表示させることができる。図５（ｃ）は、選択マーカＭ１００が移動されて、“めいさいしょ”という見出語候補が反転表示されている状態の画面例である。この図５（ｃ）において、訳／決定キー３１が押下操作されることにより、説明情報を表示する対象とする見出語が“めいさいしょ”として決定される。
【００４１】
ユーザは、見出語候補一覧表示処理によって、“め”“い”“さ”“い”“しょ”の５文字（“しょ”を２文字とする場合には６文字）全てを入力する必要がなく、見出語候補一覧に所望の見出語が表示された際に、迅速に説明情報の表示対象とする見出語を決定することができる。
【００４２】
そして、ＣＰＵ１００は、この見出語候補一覧表示処理により決定された見出語“めいさいしょ”に対応する説明情報を国語辞典ＤＢ５０１から読み出して表示する。
【００４３】
また、ＣＰＵ１００は、国語辞典キー３５ａが押下された場合であって、逆引き検索方式が指定された場合には、辞書検索プログラム５０５の備える国語辞典用逆引き検索プログラム５０５ａに従って国語辞典用逆引き検索処理を実行する。具体的には、ＣＰＵ１００は、国語辞典ＤＢ５０１に記憶されている見出語から、入力文字を語尾とする見出語を検索する。ＣＰＵ１００は、この国語辞典用逆引き検索処理により検索された見出語（以下、「逆引き見出語」という。）を表示する。
【００４４】
また、ＣＰＵ１００は、百科事典キー３５ｄが押下されて、国語辞典逆引き見出語検索方式が指定された場合に、辞書検索プログラム５０５の備える第１逆引き見出語抽出プログラム５０５ｂに従って第１逆引き見出語抽出処理を実行する。具体的には、ＣＰＵ１００は、先ず、上記した国語辞典用逆引き検索プログラム５０５ａに従って国語辞典用逆引き検索処理を実行して、国語辞典ＤＢ５０１に記憶されている見出語から、入力文字を語尾とする見出語を検索する。この際、検索された逆引き見出語が逆引き見出語格納領域４０１に格納される。図６に、逆引き見出語格納領域４０１の一例を示す。同図に示すように、逆引き見出語格納領域４０１には、検索された各逆引き見出語が、当該逆引き見出語の追加見出語と対応付けられて格納される。
【００４５】
続いて、ＣＰＵ１００は、検索された逆引き見出語の内、百科事典ＤＢ５０３に記憶されている見出語と一致する逆引き見出語を抽出する。具体的には、ＣＰＵ１００は、全ての逆引き見出語について、百科事典ＤＢ５０３から一致する見出語を検索して、検索された逆引き見出語を抽出し、抽出した逆引き見出語（以下、「抽出逆引き見出語」という。）を抽出逆引き見出語格納領域４０３に格納する。図７に、抽出逆引き見出語格納領域４０３の一例を示す。同図に示すように、抽出逆引き見出語格納領域４０３には、抽出された各抽出逆引き見出語が、当該抽出逆引き見出語の追加見出語と対応付けられて格納される。そして、ＣＰＵ１００は、抽出した抽出逆引き見出語を一覧表示する。
【００４６】
続いて、ＣＰＵ１００は、一覧表示した抽出逆引き見出語の内、一の抽出逆引き見出語が選択されて、訳／決定キー２５が押下された場合に、当該選択された抽出逆引き見出語に対応する説明情報を百科事典ＤＢ５０３から読み出して表示する。
【００４７】
次に、電子辞書１の動作について図８，図９を参照して説明する。図８は電子辞書１の動作フローを、図９は表示装置３００に表示される画面の遷移例を、それぞれ示している。
【００４８】
図８は、第１逆引き見出語抽出プログラム５０５ｂを実行することにより実現される第１逆引き見出語抽出処理に係る電子辞書１の動作フローである。同図に示すように、ＣＰＵ１００は、百科事典キー３５ｄの押下操作に応じて（ステップＳ１００）、百科事典用の検索方式を一覧表示する（ステップＳ１０２）。
【００４９】
図９（ａ）に、この段階で表示装置３００に表示される入力文字入力画面Ｗ１０の一例を示す。この入力文字入力画面Ｗ１０において、通常の検索方式である“百科事典”、検索方式“キーワード検索”、及び検索方式“国語辞典逆引き見出語検索”の各検索方式が選択可能であり、同図において、検索方式“国語辞典逆引き見出語検索”が反転表示され、検索方式選択マーカＭ１０として表示されている。ユーザは、方向指示キー２７を押下することにより検索方式選択マーカＭ１０を上下に移動させて、他の検索方式を反転表示させることで選択できる。
【００５０】
この入力文字入力画面Ｗ１０において、国語辞典逆引き見出語検索方式が指定された場合に（ステップＳ１０４：ＹＥＳ）、ＣＰＵ１００は、入力文字の入力操作を受け付けるとともに（ステップＳ１０６）、訳／決定キー２５の押下操作を監視する。そして、ＣＰＵ１００は、訳／決定キー２５の押下操作に応じて（ステップＳ１０８：ＹＥＳ）、先ず、国語辞典用逆引き検索処理を実行し、国語辞典ＤＢ５０１に記憶されている見出語から、入力文字を語尾とする見出語を検索する（ステップＳ１１０）。続いて、ＣＰＵ１００は、検索した逆引き見出語の内、百科事典ＤＢ５０３に記憶されている見出語と一致する逆引き見出語を抽出して、抽出した抽出逆引き見出語を一覧表示する（ステップＳ１１２）。
【００５１】
例えば、図９（ａ）に示す入力文字入力画面Ｗ１０において、検索方式選択マーカＭ１０により検索方式“国語辞典逆引き見出語検索”を選択して、文字入力キー２３を操作して入力文字Ｉ１０である“こくりつこうえん”を入力し、訳／決定キー２５を押下すると、（ｂ）に示すように、入力文字“こくりつこうえん”の抽出逆引き見出語一覧Ｔ１０を表示した抽出逆引き見出語一覧表示画面Ｗ１２が表示される。
【００５２】
図８に戻り、続いて、ＣＰＵ１００は、一覧表示させた抽出逆引き見出語の選択操作を受け付けるとともに（ステップＳ１１４）、訳／決定キー２５の押下操作を監視する。そして、ＣＰＵ１００は、訳／決定キー２５の押下操作に応じて（ステップＳ１１６：ＹＥＳ）、ステップＳ１１４で選択された抽出逆引き見出語に対応する説明情報を百科事典ＤＢ５０３から読み出して表示する（ステップＳ１１８）。
【００５３】
例えば、図９（ｂ）に示す抽出逆引き見出語一覧表示画面Ｗ１２において、選択マーカＭ１２により抽出逆引き見出語“いせしまこくりつこうえん”を選択して、訳／決定キー２５を押下すると、（ｃ）に示すように、百科事典ＤＢ５０３から読み出された見出語“いせしまこくりつこうえん”の説明情報を表示した説明情報表示画面Ｗ１４が表示される。
【００５４】
以上説明したように、第１の実施の形態によれば、検索対象の辞書ＤＢとして、辞書種別“百科事典ＤＢ”が指定されて、国語辞典逆引き見出語検索方式が指定された場合に、国語辞典ＤＢ５０１から、逆引き検索により入力文字に適合する逆引き見出語を検索し、当該検索した逆引き見出語から、百科事典ＤＢ５０３に記憶されている見出語と一致する逆引き見出語を抽出することができる。そして、抽出した抽出逆引き見出語から選択された逆引き見出語に対応する説明情報を、百科事典ＤＢ５０３から読み出して表示することができる。従って、国語辞典ＤＢ５０１に記憶されている見出語の検索方式である逆引き検索方式により国語辞典ＤＢ５０１から検索した見出語に基づいて、対応する説明情報を百科事典ＤＢ５０３から適切に読み出して表示する制御を行うことができる。
【００５５】
〔第２の実施の形態〕
次に、本発明を適用した電子辞書の第２の実施の形態について説明する。尚、第２の実施の形態における電子辞書の構成は、第１の実施の形態において図２に示した電子辞書１の構成において、ＲＡＭ４００を図１０（ａ）に示すＲＡＭ４１０に、ＲＯＭ５００を図１０（ｂ）に示すＲＯＭ５１０に、それぞれ置き換えた構成と同様であり、以下、同一の構成要素には同一の符号を付してその説明を省略する。
【００５６】
図１０（ａ）に示すように、ＲＡＭ４１０は、第２の実施の形態を実現するため、特に、キーワード見出語格納領域４１１と、抽出キーワード見出語格納領域４１３とを備える。また、（ｂ）に示すように、ＲＯＭ５１０には、第２の実施の形態を実現するため、特に、国語辞典ＤＢ５１１と、百科事典ＤＢ５１３と、辞書検索プログラム５１５とが格納され、辞書検索プログラム５１５は、百科事典用キーワード検索プログラム５１５ａと、第１キーワード見出語抽出プログラム５１５ｂとを備える。
【００５７】
第２の実施の形態における電子辞書は、上記した各辞書ＤＢに記憶されている見出語を検索するための種々の検索方式を提供している。ユーザは、指定辞書ＤＢに記憶されている見出語の検索に利用可能な検索方式を選択することにより、該当する検索方式に基づいて、入力文字に適合する見出語候補を検索することができる。
【００５８】
例えば、第２の実施の形態における電子辞書は、国語辞典ＤＢ５１１に記憶されている見出語を検索するための検索方式として、入力文字と前方一致する見出語を検索する通常検索方式と、入力文字を語尾とする見出語を検索する逆引き検索方式と、入力文字を含む慣用句を検索する慣用句検索方式と、百科事典キーワード見出語検索方式（詳細には後述する）とを備えている。また、百科事典ＤＢ５１３に記憶されている見出語を検索するための検索方式として、入力文字と前方一致する見出語を検索する通常検索方式と、入力文字を含む説明情報に対応付けられた見出語を検索するキーワード検索方式とを備えている。ＣＰＵ１００は、辞書検索プログラム５１５に従って辞書検索処理を実行することにより、各検索方式による検索を実現する。
【００５９】
具体的には、通常検索方式が指定された場合に、ＣＰＵ１００は、第１の実施の形態と同様に、先ず、辞書種別キー３５の押下操作に応じて指定辞書種別を決定する。そして、ＣＰＵ１００は、入力文字の入力操作に応じて見出語候補一覧表示処理を実行し、決定された見出語に対応する説明情報を指定辞書ＤＢから読み出して表示する。
【００６０】
ここで、各辞書ＤＢの蓄積形式について説明する。図１１は、国語辞典ＤＢ５１１の蓄積形式の一例を示す図である。同図に示すように、国語辞典ＤＢ５１１には、見出語と、追加見出語と、説明情報とが対応付けられた辞書データが蓄積される。また、図１２は、百科事典ＤＢ５１３の蓄積形式の一例を示す図である。同図に示すように、百科事典ＤＢ５１３には、見出語と、追加見出語と、説明情報とが対応付けられた辞書データが蓄積される。説明情報には、対応する見出語を説明・解説する語義情報と、当該語義情報中に含まれるキーワードとが格納される。
【００６１】
また、ＣＰＵ１００は、百科事典キー３５ｄが押下された場合であって、キーワード検索方式が指定された場合には、辞書検索プログラム５１５の備える百科事典用キーワード検索プログラム５１５ａに従って百科事典用キーワード検索処理を実行する。具体的には、ＣＰＵ１００は、百科事典ＤＢ５１３に記憶されている見出語から、入力文字と一致するキーワードに対応する見出語を検索する。ＣＰＵ１００は、この百科事典用キーワード検索処理により検索された見出語（以下、「キーワード見出語」という。）を表示する。例えば、ＣＰＵ１００が、入力文字“こうがい”をもとに、百科事典用キーワード検索処理を実行すると、図１２に示す、キーワード“こうがい”を有する見出語“あしおこうどくじけん”（レコードＬ３０）及び見出語“じばんちんか”（レコードＬ３２）が、キーワード見出語の一つとして検索されることとなる。
【００６２】
また、第２の実施の形態において、ＣＰＵ１００は、国語辞典キー３５ａが押下されて、百科事典キーワード見出語検索方式が指定された場合に、辞書検索プログラム５１５の備える第１キーワード見出語抽出プログラム５１５ｂに従って第１キーワード見出語抽出処理を実行する。具体的には、先ず、ＣＰＵ１００は、上記した百科事典用キーワード検索プログラム５１５ａに従って百科事典用キーワード検索処理を実行し、百科事典ＤＢ５１３に記憶されている見出語から、入力文字と一致するキーワードを有する見出語を検索する。この際、検索されたキーワード見出語がキーワード見出語格納領域４１１（図示略）に格納される。このキーワード見出語格納領域４１１には、検索された各キーワード見出語が、当該キーワード見出語の追加見出語と対応付けられて格納される。
【００６３】
続いて、ＣＰＵ１００は、検索されたキーワード見出語の内、国語辞典ＤＢ５１１に記憶されている見出語と一致するキーワード見出語を抽出して、抽出した見出語（以下、「抽出キーワード見出語」という。）を一覧表示する。また、この際、抽出キーワード見出語格納領域４１３（図示略）が更新される。この抽出キーワード見出語格納領域４１３には、抽出された各抽出キーワード見出語が、当該抽出キーワード見出語の追加見出語と対応付けられて格納される。
【００６４】
ＣＰＵ１００は、一覧表示した抽出キーワード見出語の内、一の抽出キーワード見出語が選択されて、訳／決定キー２５が押下された場合に、当該選択された抽出キーワード見出語に対応する説明情報を国語辞典ＤＢ５１１から読み出して表示する。
【００６５】
次に、第２の実施の形態における電子辞書の動作について図１３，図１４を参照して説明する。図１３は第２の実施の形態における電子辞書の動作フローを、図１４は表示装置３００に表示される画面の遷移例を、それぞれ示している。
【００６６】
図１３は、第１キーワード見出語抽出プログラム５１５ｂを実行することにより実現される第１キーワード見出語抽出処理に係る第２の実施の形態における電子辞書の動作フローである。同図に示すように、ＣＰＵ１００は、国語辞典キー３５ａの押下操作に応じて（ステップＳ２００）、国語辞典用の検索方式を一覧表示する（ステップＳ２０２）。
【００６７】
図１４（ａ）に、この段階で表示装置３００に表示される入力文字入力画面Ｗ２０の一例を示す。この入力文字入力画面Ｗ２０において、通常の検索方式である“国語辞典”、検索方式“逆引き検索”、検索方式“慣用句検索”、及び“百科事典キーワード見出語検索”の各検索方式が選択可能であり、同図において、検索方式“百科事典キーワード見出語検索”が反転表示され、検索方式選択マーカＭ２０として表示されている。ユーザは、方向指示キー２７を押下することにより検索方式選択マーカＭ２０を上下に移動させて、他の検索方式を反転表示させることで選択できる。
【００６８】
この入力文字入力画面Ｗ２０において、百科事典キーワード見出語検索方式が指定された場合に（ステップＳ２０４：ＹＥＳ）、ＣＰＵ１００は、入力文字の入力操作を受け付けるとともに（ステップＳ２０６）、訳／決定キー２５の押下操作を監視する。そして、ＣＰＵ１００は、訳／決定キー２５の押下操作に応じて（ステップＳ２０８：ＹＥＳ）、先ず、百科事典用キーワード検索処理を実行し、百科事典ＤＢ５１３に記憶されている見出語から、入力文字と一致するキーワードを有する見出語を検索する（ステップＳ２１０）。続いて、ＣＰＵ１００は、検索したキーワード見出語の内、国語辞典ＤＢ５１１に記憶されている見出語と一致するキーワード見出語を抽出して、抽出した抽出キーワード見出語を一覧表示する（ステップＳ２１２）。
【００６９】
例えば、図１４（ａ）に示す入力文字入力画面Ｗ２０において、検索方式選択マーカＭ２０により検索方式“百科事典キーワード見出語検索”を選択して、文字入力キー２３を操作して入力文字Ｉ２０である“こうがい”を入力し、訳／決定キー２５を押下すると、（ｂ）に示すように、入力文字“こうがい”の抽出キーワード見出語一覧Ｔ２０を表示した抽出キーワード見出語一覧表示画面Ｗ２２が表示される。
【００７０】
図１３に戻り、続いて、ＣＰＵ１００は、一覧表示させた抽出キーワード見出語の選択操作を受け付けるとともに（ステップＳ２１４）、訳／決定キー２５の押下操作を監視する。そして、ＣＰＵ１００は、訳／決定キー２５の押下操作に応じて（ステップＳ２１６：ＹＥＳ）、ステップＳ２１４で選択された抽出キーワード見出語に対応する説明情報を国語辞典ＤＢ５１１から読み出して表示する（ステップＳ２１８）。
【００７１】
例えば、図１４（ｂ）に示す抽出キーワード見出語一覧表示画面Ｗ２２において、選択マーカＭ２２により抽出キーワード見出語“じばんちんか”を選択して、訳／決定キー２５を押下すると、（ｃ）に示すように、百科事典ＤＢ５１３から読み出された見出語“じばんちんか”の説明情報を表示した説明情報表示画面Ｗ２４が表示される。
【００７２】
以上説明したように、第２の実施の形態によれば、検索対象の辞書ＤＢとして、辞書種別“国語辞典ＤＢ”が指定されて、百科事典キーワード見出語検索方式が指定された場合に、百科事典ＤＢ５１３から、キーワード検索により入力文字に適合するキーワード見出語を検索し、当該検索したキーワード見出語から、国語辞典ＤＢ５１１に記憶されている見出語と一致するキーワード見出語を抽出することができる。そして、抽出したキーワード見出語から選択された選択キーワード見出語に対応する説明情報を、国語辞典ＤＢ５１１から読み出して表示することができる。従って、百科事典ＤＢ５１３に記憶されている見出語の検索方式であるキーワード検索方式により百科事典ＤＢ５１３から検索した見出語に基づいて、対応する説明情報を国語辞典ＤＢ５１１から適切に読み出して表示する制御を行うことができる。
【００７３】
〔第３の実施の形態〕
次に、本発明を適用した電子辞書の第３の実施の形態について説明する。尚、第３の実施の形態における電子辞書の構成は、第１の実施の形態において図２に示した電子辞書１の構成において、ＲＡＭ４００を図１５（ａ）に示すＲＡＭ４２０に、ＲＯＭ５００を図１５（ｂ）に示すＲＯＭ５２０に、それぞれ置き換えた構成と同様であり、以下、同一の構成要素には同一の符号を付してその説明を省略する。
【００７４】
図１５（ａ）に示すように、ＲＡＭ４２０は、第３の実施の形態を実現するため、特に、逆引き見出語格納領域４２１を備える。また、（ｂ）に示すように、ＲＯＭ５２０には、第３の実施の形態を実現するため、特に、国語辞典ＤＢ５２１と、百科事典ＤＢ５２３と、辞書検索プログラム５２５とが格納され、辞書検索プログラム５２５は、国語辞典用逆引き検索プログラム５２５ａと、第２逆引き見出語抽出プログラム５２５ｂとを備える。
【００７５】
第３の実施の形態における電子辞書は、上記した各辞書ＤＢに記憶されている見出語を検索するための種々の検索方式を提供している。すなわち、第３の実施の形態における電子辞書は、国語辞典ＤＢ５２１に記憶されている見出語を検索するための検索方式として、通常検索方式と、逆引き検索方式と、慣用句検索方式とを備えている。また、百科事典ＤＢ５２３に記憶されている見出語を検索するための検索方式として、通常検索方式と、キーワード検索方式とを備えている。ＣＰＵ１００は、辞書検索プログラム５２５に従って辞書検索処理を実行することにより、各検索方式による検索を実現する。
【００７６】
具体的には、通常検索方式が指定された場合に、ＣＰＵ１００は、第１の実施の形態と同様に、先ず、辞書種別キー３５の押下操作に応じて指定辞書種別を決定する。そして、ＣＰＵ１００は、入力文字の入力操作に応じて見出語候補一覧表示処理を実行し、決定された見出語に対応する説明情報を指定辞書ＤＢから読み出して表示する。
【００７７】
尚、図示しないが、国語辞典ＤＢ５２１には、第１の実施の形態において図３に示した国語辞典ＤＢ５０１と同様に、見出語と、追加見出語と、説明情報とが対応付けられた辞書データが蓄積される。また、百科事典ＤＢ５２３には、図４に示した百科事典ＤＢ５０３と同様に、見出語と、追加見出語と、説明情報とが対応付けられた辞書データが蓄積される。
【００７８】
また、ＣＰＵ１００は、国語辞典キー３５ａが押下された場合であって、逆引き検索方式が指定された場合には、辞書検索プログラム５２５の備える国語辞典用逆引き検索プログラム５２５ａに従って国語辞典用逆引き検索処理を実行する。具体的には、ＣＰＵ１００は、国語辞典ＤＢ５２１に記憶されている見出語から、入力文字を語尾とする見出語を検索する。ＣＰＵ１００は、この国語辞典用逆引き検索処理により検索された見出語を表示する。
【００７９】
また、百科事典キー３５ｄが押下された後、並列検索キー３２と国語辞典キー３５ａとが続けて押下された場合に、ＣＰＵ１００は、辞書検索プログラム５２５の備える第２逆引き見出語抽出プログラム５２５ｂに従って第２逆引き見出語抽出処理を実行する。具体的には、ＣＰＵ１００は、先ず、国語辞典検索用ウィンドウと百科事典検索用ウィンドウとを並列表示する。そして、表示された国語辞典検索用ウィンドウで逆引き検索方式が選択された場合に、ＣＰＵ１００は、上記した国語辞典用逆引き検索プログラム５２５ａに従って国語辞典用逆引き検索処理を実行し、国語辞典ＤＢ５２１に記憶されている見出語から、入力文字を語尾とする逆引き見出語を検索する。この際、逆引き見出語格納領域４２１が更新される。
【００８０】
図１６に、逆引き見出語格納領域４２１の一例を示す。同図に示すように、逆引き見出語格納領域４２１には、検索された各逆引き見出語と対応付けて、当該逆引き見出語の追加見出語と、フラグ情報とが格納される。フラグ情報は、対応する逆引き見出語と一致する見出語が百科事典ＤＢ５２３に含まれるか否かを示している。このフラグ情報の詳細については後述するが、この段階では、例えば、初期値として全ての逆引き見出語に対応するフラグ情報が“ＯＦＦ”に設定される。
【００８１】
続いて、ＣＰＵ１００は、検索された逆引き見出語の内、百科事典ＤＢ５２３から逆引き見出語と一致する見出語を検索し、一致する見出語が検索された逆引き見出語（以下、「一致逆引き見出語」という。）に対応するフラグ情報を“ＯＮ”に更新する。例えば、図１６のレコードＬ４０のフラグ情報“ＯＦＦ”により、百科事典ＤＢ５２３に、逆引き見出語“あそくじゅうこくりつこうえん”と一致する見出語が含まれないことを示している。
【００８２】
そして、ＣＰＵ１００は、国語辞典検索用ウィンドウにおいて、逆引き見出語を一覧表示するとともに、一致逆引き見出語に所定の識別子を表示する。
【００８３】
続いて、ＣＰＵ１００は、一覧表示した逆引き見出語の内、識別子が表示された逆引き見出語が選択されて、訳／決定キー２５が押下された場合に、当該選択された逆引き見出語（以下、「選択逆引き見出語」という。）に対応する説明情報を国語辞典ＤＢ５２１から読みだして国語辞典検索用ウィンドウに表示するとともに、選択逆引き見出語に対応する説明情報を百科事典ＤＢ５２３から読み出して百科事典検索用ウィンドウに表示する。
【００８４】
次に、第３の実施の形態における電子辞書の動作について図１７，図１８を参照して説明する。図１７は第３の実施の形態における電子辞書の動作フローを、図１８は表示装置３００に表示される画面の遷移例を、それぞれ示している。
【００８５】
図１７は、第２逆引き見出語抽出プログラム５２５ｂを実行することにより実現される第２逆引き見出語抽出処理に係る第３の実施の形態における電子辞書の動作フローである。同図に示すように、ＣＰＵ１００は、百科事典キー３５ｄが押下されるとともに（ステップＳ３００：ＹＥＳ）、並列検索キー３２と国語辞典キー３５ａとが続けて押下された場合に（ステップＳ３０２：ＹＥＳ）、国語辞典検索用ウィンドウと百科事典検索用ウィンドウとを並列表示する（ステップＳ３０４）。
【００８６】
図１８（ａ）に、この段階で表示装置３００に表示される表示画面の一例を示す。同図に示すように、表示画面には、百科事典検索用ウィンドウＷ３０と国語辞典検索用ウィンドウＷ４０とが並列表示されている。百科事典検索用ウィンドウＷ３０では、通常検索方式である“百科事典”及び“キーワード検索”の各検索方式が選択可能であり、同図において、検索方式“百科事典”が反転表示され、検索方式選択マーカＭ３０として表示されている。また、国語辞典用ウィンドウＷ４０では、通常検索方式である“国語辞典”、“逆引き”、及び“慣用句検索”の各検索方式が選択可能であり、同図において、検索方式“逆引き”が反転表示され、検索方式選択マーカＭ４０として表示されている。ユーザは、方向指示キー２７を押下することにより検索方式選択マーカＭ３０，Ｍ４０を上下に移動させて、他の検索方式を反転表示させることで選択できる。
【００８７】
国語辞典検索用ウィンドウで逆引き検索方式が指定された場合に（ステップＳ３０６：ＹＥＳ）、ＣＰＵ１００は、国語辞典用逆引き検索処理を実行し、国語辞典ＤＢ５２１に記憶されている見出語から、入力文字を語尾とする見出語を検索する（ステップＳ３０８）。続いて、ＣＰＵ１００は、検索された逆引き見出語の内、百科事典ＤＢ５２３から逆引き見出語と一致する見出語を検索し、一致逆引き見出語に対応するフラグ情報を“ＯＮ”に更新する（ステップＳ３１０）。そして、ＣＰＵ１００は、国語辞典検索用ウィンドウの表示を更新し、逆引き見出語を一覧表示するとともに、一致逆引き見出語に所定の識別子を表示する（ステップＳ３１２）。
【００８８】
例えば、図１８（ａ）に示す国語辞典検索用ウィンドウＷ４０において、検索方式選択マーカＭ４０により検索方式“逆引き”を選択する。そして、文字入力キー２３を操作して入力文字Ｉ４０である“こくりつこうえん”を入力し、訳／決定キー２５を押下すると、（ｂ）に示すように、国語辞典検索用ウィンドウＷ４２に、入力文字“こくりつこうえん”の逆引き見出語一覧Ｔ４０が表示される。また、逆引き見出語一覧Ｔ４０に表示される逆引き見出語の内、百科事典ＤＢ５２３に含まれる見出語と一致する一致逆引き見出語には、識別子Ｓ４０が表示される。ユーザは、方向指示キー２７を押下することにより選択マーカＭ４２を上下に移動させて、逆引き見出語を反転表示させることで選択できる。また、選択マーカＭ４２により選択されている逆引き見出語が、百科事典検索用ウィンドウＷ３０の通常検索方式（“百科事典”）の入力文字として入力されるようになっている。
【００８９】
続いて、ＣＰＵ１００は、一覧表示させた逆引き見出語の内、識別子が表示された逆引き見出語の選択操作を受け付けるとともに（ステップＳ３１４）、訳／決定キー２５の押下操作を監視する。そして、ＣＰＵ１００は、訳／決定キー２５の押下操作に応じて（ステップＳ３１６：ＹＥＳ）、ステップＳ３１４で選択された選択逆引き見出語に対応する説明情報を百科事典ＤＢ５２３から読み出して百科事典検索用ウィンドウに表示するとともに、ステップＳ３１４で選択逆引き見出語に対応する説明情報を国語辞典ＤＢ５２１から読み出して国語辞典検索用ウィンドウに表示する（ステップＳ３１８）。
【００９０】
例えば、図１８（ｂ）に示す国語辞典検索用ウィンドウＷ４２において、選択マーカＭ４２により抽出逆引き見出語“いせしまこくりつこうえん”を選択して、訳／決定キー２５を押下すると、（ｃ）に示すように、百科事典検索用ウィンドウＷ３２の表示が更新されて百科事典ＤＢ５２３から読み出された見出語“いせしまこくりつこうえん”の説明情報が表示されるとともに、国語辞典検索用ウィンドウＷ４４の表示が更新されて国語辞典ＤＢ５２１から読み出された見出語“いせしまこくりつこうえん”の説明情報が表示される。
【００９１】
以上説明したように、第３の実施の形態によれば、百科事典キー３５ｄが押下された後、並列検索キー３２と国語辞典キー３５ａとが続けて押下された場合に、国語辞典検索用ウィンドウと百科事典検索用ウィンドウとを並列表示することができる。そして、表示された国語辞典検索用ウィンドウで逆引き検索方式が選択された場合に、国語辞典ＤＢ５２１に記憶されている見出語から、逆引き検索方式により逆引き見出語を検索して、国語辞典検索用ウィンドウに一覧表示することができる。また、この際、検索した逆引き見出語の内、百科事典ＤＢ５２３から逆引き見出語と一致する逆引き見出語を検索して、国語辞典検索用ウィンドウにおいて、百科事典ＤＢ５２３に含まれる逆引き見出語に識別子を表示することができる。従って、国語辞典検索用ウィンドウに表示する逆引き見出語の一覧の内、百科事典ＤＢ５２３に含まれる逆引き見出語を識別表示することができる。
【００９２】
また、一覧表示した逆引き見出語の内、識別子が表示された逆引き見出語が選択されて、訳／決定キー２５が押下された場合に、選択逆引き見出語に対応する説明情報を国語辞典ＤＢ５２１から読みだして国語辞典検索用ウィンドウに表示するとともに、選択逆引き見出語に対応する説明情報を百科事典ＤＢ５２３から読み出して百科事典検索用ウィンドウに表示することができる。これによれば、同一画面上で、入力文字に適合する見出語及び当該見出語の説明情報を、国語辞典ＤＢ５２１及び百科事典ＤＢ５２３からそれぞれ読み出して並列表示することができる。
【００９３】
〔第４の実施の形態〕
次に、本発明を適用した電子辞書の第４の実施の形態について説明する。尚、第４の実施の形態における電子辞書の構成は、第１の実施の形態において図２に示した電子辞書１の構成において、ＲＡＭ４００を図１９（ａ）に示すＲＡＭ４３０に、ＲＯＭ５００を図１９（ｂ）に示すＲＯＭ５３０に、それぞれ置き換えた構成と同様であり、以下、同一の構成要素には同一の符号を付してその説明を省略する。
【００９４】
図１９（ａ）に示すように、ＲＡＭ４３０は、第４の実施の形態を実現するため、特に、キーワード見出語格納領域４３１を備える。また、（ｂ）に示すように、ＲＯＭ５３０には、第４の実施の形態を実現するため、特に、国語辞典ＤＢ５３１と、百科事典ＤＢ５３３と、辞書検索プログラム５３５とが格納され、辞書検索プログラム５３５は、百科事典用キーワード検索プログラム５３５ａと、第２キーワード見出語抽出プログラム５３５ｂとを備える。
【００９５】
第４の実施の形態における電子辞書は、上記した各辞書ＤＢに記憶されている見出語を検索するための種々の検索方式を提供している。すなわち、第４の実施の形態における電子辞書は、国語辞典ＤＢ５３１に記憶されている見出語を検索するための検索方式として、通常検索方式と、逆引き検索方式と、慣用句検索方式とを備えている。また、百科事典ＤＢ５３３に記憶されている見出語を検索するための検索方式として、通常検索方式と、キーワード検索方式とを備えている。ＣＰＵ１００は、辞書検索プログラム５３５に従って辞書検索処理を実行することにより、各検索方式による検索を実現する。
【００９６】
具体的には、通常検索方式が指定された場合に、ＣＰＵ１００は、第１の実施の形態と同様に、辞書種別キー３５の押下操作に応じて指定辞書種別を決定する。そして、ＣＰＵ１００は、入力文字の入力操作に応じて見出語候補一覧表示処理を実行し、決定された見出語に対応する説明情報を指定辞書ＤＢから読み出して表示する。
【００９７】
尚、図示しないが、国語辞典ＤＢ５３１には、第１の実施の形態において図３に示した国語辞典ＤＢ５０１と同様に、見出語と、追加見出語と、説明情報とが対応付けられた辞書データが蓄積される。また、百科事典ＤＢ５３３には、図４に示した百科事典ＤＢ５０３と同様に、見出語と、追加見出語と、説明情報とが対応付けられた辞書データが蓄積される。
【００９８】
また、ＣＰＵ１００は、百科事典キー３５ｄが押下された場合であって、キーワード検索方式が指定された場合には、辞書検索プログラム５３５の備える百科事典用キーワード検索プログラム５３５ａに従って百科事典用キーワード検索処理を実行する。具体的には、ＣＰＵ１００は、百科事典ＤＢ５３３に記憶されている見出語から、入力文字と一致するキーワードを検索する。ＣＰＵ１００は、この百科事典用キーワード検索処理により検索された見出語を表示する。
【００９９】
また、国語辞典キー３５ａが押下された後、並列検索キー３２と百科事典キー３５ｄとが続けて押下された場合に、ＣＰＵ１００は、辞書検索プログラム５３５の備える第２キーワード見出語抽出プログラム５３５ｂに従って第２キーワード見出語抽出処理を実行する。具体的には、先ず、国語辞典検索用ウィンドウと百科事典検索用ウィンドウとを並列表示する。そして、表示された百科事典検索用ウィンドウでキーワード検索方式が選択された場合に、ＣＰＵ１００は、上記した百科事典用キーワード検索プログラム５３５ａに従って百科事典用キーワード検索処理を実行し、百科事典ＤＢ５３３に記憶されている見出語から、入力文字と一致するキーワードを有する見出語を検索する。この際、キーワード見出語格納領域４３１に更新される。
【０１００】
図２０に、キーワード見出語格納領域４３１の一例を示す。同図に示すように、キーワード見出語格納領域４３１には、検索された各キーワード見出語と対応付けて、当該キーワード見出語の追加見出語と、フラグ情報とが格納される。フラグ情報は、対応するキーワード見出語と一致する見出語が国語辞典ＤＢ５３１に含まれるか否かを示している。このフラグ情報の詳細については後述するが、この段階では、例えば、初期値として全ての逆引き見出語に対応するフラグ情報が“ＯＦＦ”に設定される。
【０１０１】
続いて、ＣＰＵ１００は、検索されたキーワード見出語の内、国語辞典ＤＢ５３１に記憶されている見出語と一致するキーワード見出語を検索し、一致する見出語が検索されたキーワード見出語（以下、「一致キーワード見出語」という。）に対応するフラグ情報を“ＯＮ”に更新する。
【０１０２】
そして、ＣＰＵ１００は、百科事典検索用ウィンドウにおいて、キーワード見出語を一覧表示するとともに、一致キーワード見出語に所定の識別子を表示する。
【０１０３】
続いて、ＣＰＵ１００は、一覧表示したキーワード見出語の内、識別子が表示されたキーワード見出語が選択されて、訳／決定キー２５が押下された場合に、当該選択されたキーワード見出語（以下、「選択キーワード見出語」という。）に対応する説明情報を国語辞典ＤＢ５３１から読みだして国語辞典検索用ウィンドウに表示するとともに、選択キーワード見出語に対応する説明情報を百科事典ＤＢ５３３から読み出して百科事典検索用ウィンドウに表示する。
【０１０４】
次に、第４の実施の形態における電子辞書の動作について図２１，図２２を参照して説明する。図２１は第４の実施の形態における電子辞書の動作フローを、図２２は表示装置３００に表示される画面の遷移例を、それぞれ示している。
【０１０５】
図２１は、第２キーワード見出語抽出プログラム５３５ｂを実行することにより実現される第２キーワード見出語抽出処理に係る第４の実施の形態における電子辞書の動作フローである。同図に示すように、ＣＰＵ１００は、国語辞典キー３５ａが押下されるとともに（ステップＳ４００：ＹＥＳ）、並列検索キー３２と百科事典キー３５ｄとが続けて押下された場合に（ステップＳ４０２：ＹＥＳ）、国語辞典検索用ウィンドウと百科事典検索用ウィンドウとを並列表示する（ステップＳ４０６）。
【０１０６】
図２２（ａ）に、この段階で表示装置３００に表示される表示画面の一例を示す。同図に示すように、表示画面には、国語辞典検索用ウィンドウＷ５０と百科事典検索用ウィンドウＷ６０とが並列表示されている。国語辞典検索用ウィンドウＷ５０では、通常検索方式である“国語辞典”、“逆引き”、及び“慣用句検索”の各検索方式が選択可能であり、同図において、検索方式“逆引き”が反転表示され、検索方式選択マーカＭ５０として表示されている。また、百科事典検索用ウィンドウＷ６０では、通常検索方式である“百科事典”及び“キーワード検索”の各検索方式が選択可能であり、同図において、検索方式“百科事典”が反転表示され、検索方式選択マーカＭ６０として表示されている。ユーザは、方向指示キー２７を押下することにより検索方式選択マーカＭ５０，Ｍ６０を上下に移動させて、他の検索方式を反転表示させることで選択できる。
【０１０７】
特に、百科事典検索用ウィンドウでキーワード検索方式が指定された場合に（ステップＳ４０６：ＹＥＳ）、ＣＰＵ１００は、百科事典用キーワード検索処理を実行し、百科事典ＤＢ５３３に記憶されている見出語から、入力文字を語尾とする見出語を検索する（ステップＳ４０８）。続いて、ＣＰＵ１００は、検索したキーワード見出語の内、国語辞典ＤＢ５３１からキーワード見出語と一致する見出語を検索し、一致キーワード見出語に対応するフラグ情報を“ＯＮ”に更新する（ステップＳ４１０）。そして、ＣＰＵ１００は、百科事典検索用ウィンドウの表示を更新し、キーワード見出語を一覧表示するとともに、一致キーワード見出語に所定の識別子を表示する（ステップＳ４１２）。
【０１０８】
例えば、図２２（ａ）に示す百科事典検索用ウィンドウＷ６０において、検索方式選択マーカＭ６０により検索方式“キーワード”を選択する。そして、文字入力キー２３を操作して入力文字Ｉ６０である“こうがい”を入力し、訳／決定キー２５を押下すると、（ｂ）に示すように、百科事典検索用ウィンドウＷ６２に、入力文字“こうがい”のキーワード見出語一覧Ｔ６０が表示される。また、キーワード見出語一覧Ｔ６０に表示されるキーワード見出語の内、国語辞典ＤＢ５３１に含まれる見出語と一致する一致キーワード見出語には、識別子Ｓ６０が表示される。ユーザは、方向指示キー２７を押下することにより選択マーカＭ６２を上下に移動させて、キーワード見出語を反転表示させることで選択できる。また、選択マーカＭ６２により選択されているキーワード見出語が、国語辞典検索用ウィンドウＷ５０の通常検索方式（“国語辞典”）の入力文字として入力されるようになっている。
【０１０９】
続いて、ＣＰＵ１００は、一覧表示させたキーワード見出語の内、識別子が表示されたキーワード見出語の選択操作を受け付けるとともに（ステップＳ４１２）、訳／決定キー２５の押下操作を監視する。そして、ＣＰＵ１００は、訳／決定キー２５の押下操作に応じて（ステップＳ４１６：ＹＥＳ）、国語辞典検索用ウィンドウにおいて、ステップＳ４１４で選択された選択キーワード見出語に対応する説明情報を国語辞典ＤＢ５３１から読み出して表示するとともに、百科事典検索用ウィンドウにおいて、ステップＳ４１４で選択キーワード見出語に対応する説明情報を百科事典ＤＢ５３３から読み出して表示する（ステップＳ４１８）。
【０１１０】
例えば、図２２（ｂ）に示す百科事典検索用ウィンドウＷ６２において、選択マーカＭ６２により抽出キーワード見出語“じばんちんか”を選択して、訳／決定キー２５を押下すると、（ｃ）に示すように、国語辞典検索用ウィンドウＷ５２の表示が更新されて国語辞典ＤＢ５３１から読み出された見出語“じばんちんか”の説明情報が表示されるとともに、百科事典検索用ウィンドウＷ６４の表示が更新されて百科事典ＤＢ５３３から読み出された見出語“じばんちんか”の説明情報が表示される。
【０１１１】
以上説明したように、第４の実施の形態によれば、国語辞典キー３５ａが押下された後、並列検索キー３２と百科事典キー３５ｄとが続けて押下された場合に、国語辞典検索用ウィンドウと百科事典検索用ウィンドウとを並列表示することができる。そして、表示された百科事典検索用ウィンドウでキーワード検索方式が選択された場合に、百科事典ＤＢ５３３に記憶されている見出語から、キーワード検索方式によりキーワード見出語を検索して、百科事典検索用ウィンドウに一覧表示することができる。また、この際、検索したキーワード見出語の内、国語辞典ＤＢ５３１からキーワード見出語と一致するキーワード見出語を検索して、百科事典検索用ウィンドウにおいて、国語辞典ＤＢ５３１に含まれるキーワード見出語に識別子を表示することができる。従って、百科事典検索用ウィンドウに表示するキーワード見出語の一覧の内、国語辞典ＤＢ５３１に含まれるキーワード見出語を識別表示することができる。
【０１１２】
また、一覧表示したキーワード見出語の内、識別子が表示されたキーワード見出語が選択されて、訳／決定キー２５が押下された場合に、選択キーワード見出語に対応する説明情報を百科事典ＤＢ５３３から読みだして百科事典検索用ウィンドウに表示するとともに、選択キーワード見出語に対応する説明情報を国語辞典ＤＢ５３１から読み出して国語辞典検索用ウィンドウに表示することができる。これによれば、同一画面上で、入力文字に適合する見出語及び当該見出語の説明情報を、国語辞典ＤＢ５３１及び百科事典ＤＢ５３３からそれぞれ読み出して並列表示することができる。
【０１１３】
尚、上述した実施の形態では、本発明の情報表示制御装置を、電子辞書、電子事典等を含む電子辞書に適用した場合について説明したが、このような製品に限定されるものではなく、携帯電話、パソコン、電子時計、ＰＤＡ（Ｐｅｒｓｏｎａｌ  Ｄｉｇｉｔａｌ  Ａｓｓｉｓｔａｎｔｓ）等の電子機器全般に適用可能である。
【０１１４】
また、上記した実施の形態では、電子辞書を、単体で動作するいわゆるスタンドアローン型の装置として説明したが、本発明が適用可能な装置はこれに限られるものではなく、以下のようにしてもよい。すなわち、通信装置を内蔵或いは接続可能に構成し、サーバと通信することによって本発明に係る装置を実現することも可能である。
【０１１５】
図２３は、通信装置を内蔵した電子辞書端末６００と、サーバ７００とが通信回線Ｎを介して通信可能に接続されたシステム構成の概略構成例を示す図である。サーバ７００は、例えば、汎用のワークステーションやサーバ用コンピュータ等によって構成されるものであり、電子辞書端末６００は、携帯電話機や、通信装置を内蔵したパソコン、通信装置を内蔵した電子辞書等により構成されるものである。通信回線Ｎは、有線／無線の電話網やインターネット網等である。
【０１１６】
図２３において、上記した実施の形態の電子辞書の主要機能を有する機能ブロックを太線で示した。例えば、第１の実施の形態における電子辞書１のＣＰＵ１００が実行する辞書検索処理等は、サーバ７００のＣＰＵ７０２が実行する。また、ＲＯＭ５００が記憶する各種データや各種プログラム等は、サーバ７００が備えるハードディスク等から構成される記憶装置７１２が記憶する。また、辞書検索処理等の実行に伴うデータはサーバ７００のＲＡＭ７１０が記憶する。
【０１１７】
一方、電子辞書１の入力装置２００及び表示装置３００は、それぞれ、電子辞書端末６００の入力装置６０４及び表示装置６０６に相当する。
【０１１８】
すなわち、サーバ７００がホスト（或いはサーバ）、電子辞書端末６００が端末（或いはクライアント）に相当するホスト・端末のシステム（或いはクライアント／サーバ型のシステム）を形成する。そして、電子辞書端末６００の入力装置６０４から入力された入力文字等が通信装置６１０を介してサーバ７００に送信され、サーバ７００のＣＰＵ７０２が記憶装置７１２に記憶された各種データ及び各種プログラムに従って辞書検索処理等を実行し、処理結果を通信装置７１４を通じて電子辞書端末６００に送信して表示装置６０６に表示させる。このように、サーバ７００及び電子辞書端末６００から構成されるシステムで、本発明を実現することも可能である。この場合、電子辞書端末６００においては、各種辞書ＤＢや辞書検索プログラム５０５等を記憶しておく必要がなく、また辞書検索処理等を実行する必要もない。このため、演算処理能力が比較的低いＣＰＵ６０２や、記憶容量等が比較的小さいＲＯＭ６０６等を具備する電子辞書端末６００（例えば携帯電話）であってもよい。
【０１１９】
【発明の効果】
請求項１又は６に記載の発明によれば、第２の集合情報に含まれる見出語から入力文字に適合する見出語を検索し、検索した見出語の内、第１の集合情報に含まれる見出語を抽出して表示することができる。そして、表示した見出語から一の見出語が指定された際に、指定された見出語に対応する説明情報を第１の集合情報から読み出して表示することができる。従って、第２の集合情報から検索した見出語に基づいて、適合する見出語及び当該見出語に対応する説明情報を第１の集合情報から適切に読み出して表示することができる。
【０１２０】
請求項２に記載の発明によれば、第１の集合情報用の第１ウィンドウと、第２の集合情報用の第２ウィンドウとを表示することができる。そして、第２ウィンドウにおいて、入力文字をもとに第２の集合情報から検索した見出語であって、当該検索した見出語の中から抽出した第１の集合情報に含まれる見出語を表示し、第１ウィンドウにおいて、第１の集合情報から読み出した見出語及び説明情報を表示することができる。
【０１２１】
請求項３に記載の発明によれば、入力文字をもとに第２の集合情報から検索した見出語であって、当該検索した見出語の中から抽出した第１の集合情報に含まれる見出語を、一覧表示することができる。そして、一覧表示した見出語から指定された一の見出語に対応する説明情報を第１の集合情報から読み出して表示することができる。従って、第２の集合情報から検索した見出語に基づいて、適合する見出語及び説明情報を第１の集合情報から適切に読み出して表示することができる。
【０１２２】
請求項４に記載の発明によれば、入力文字をもとに第２の集合情報から検索した見出語を一覧表示するとともに、一覧表示した見出語の内、第１の集合情報に含まれる見出語に所定の識別を付して表示することができる。
【０１２３】
請求項５又は７に記載の発明によれば、サーバ又はコンピュータにおいて入力文字を受信した際に、第２の集合情報に含まれる見出語から入力文字に適合する見出語を検索し、検索した見出語の内の第１の集合情報に含まれる見出語を抽出して、利用者端末に送信することができる。そして、サーバ又はコンピュータにおいて、送信した見出語の内の一の見出語が指定された見出語指定情報を受信した際に、当該見出語指定情報により指定された見出語に対応する説明情報を第１の集合情報から読み出して利用者端末に送信することができる。
【図面の簡単な説明】
【図１】（ａ）は電子辞書の斜視概観図の一例、（ｂ）は電子辞書のキー配列の一例を示す図。
【図２】第１の実施の形態における電子辞書の機能構成の一例を示すブロック図。
【図３】第１の実施の形態における国語辞書ＤＢの蓄積形式の一例を示す図。
【図４】第１の実施の形態における百科事典ＤＢの蓄積形式の一例を示す図。
【図５】見出語候補一覧表示処理を説明するための画面遷移例を示す図。
【図６】第１の実施の形態における逆引き見出語格納領域の一例を示す図。
【図７】抽出逆引き見出語格納領域の一例を示す図。
【図８】第１逆引き見出語抽出処理の実行に係る電子辞書の動作の一例を示すフローチャート
【図９】第１の実施の形態における電子辞書の操作例を説明するための画面遷移例を示す図。
【図１０】第２の実施の形態におけるＲＡＭの構成（ａ）、及びＲＯＭの構成（ｂ）の一例を示す図。
【図１１】第２の実施の形態における国語辞典ＤＢの一例を示す図。
【図１２】第２の実施の形態における百科事典ＤＢの一例を示す図。
【図１３】第１キーワード見出語抽出処理の実行に係る電子辞書の動作の一例を示すフローチャート。
【図１４】第２の実施の形態における電子辞書の操作例を説明するための画面遷移例を示す図。
【図１５】第３の実施の形態におけるＲＡＭの構成（ａ）、及びＲＯＭの構成（ｂ）の一例を示す図。
【図１６】第３の実施の形態における逆引き見出語格納領域の一例を示す図。
【図１７】第２逆引き見出語抽出処理の実行に係る電子辞書の動作の一例を示すフローチャート
【図１８】第３の実施の形態における電子辞書の操作例を説明するための画面遷移例を示す図。
【図１９】第４の実施の形態におけるＲＡＭの構成（ａ）、及びＲＯＭの構成（ｂ）の一例を示す図。
【図２０】第４の実施の形態におけるキーワード見出語格納領域の一例を示す図。
【図２１】第２キーワード見出語抽出処理の実行に係る電子辞書の動作の一例を示すフローチャート。
【図２２】第４の実施の形態における電子辞書の操作例を説明するための画面遷移例を示す図。
【図２３】電子辞書端末とサーバとで構成されるシステムの概略構成例を示す図。
【符号の説明】
１              電子辞書
１００        ＣＰＵ
２００        入力装置
３００        表示装置
４００        ＲＡＭ
４０１      逆引き見出語格納領域
４０３      抽出逆引き見出語格納領域
５００        ＲＯＭ
５０１      国語辞典ＤＢ
５０３      百科事典ＤＢ
５０５      辞書検索プログラム
５０５ａ  国語辞典用逆引き検索プログラム
５０５ｂ  第１逆引き見出語抽出プログラム
【図１】
2004295739.tif 000003
【図２】
2004295739.tif 000004
【図３】
2004295739.tif 000005
【図４】
2004295739.tif 000006
【図５】
2004295739.tif 000007
【図６】
2004295739.tif 000008
【図７】
2004295739.tif 000009
【図８】
2004295739.tif 000010
【図９】
2004295739.tif 000011
【図１０】
2004295739.tif 000012
【図１１】
2004295739.tif 000013
【図１２】
2004295739.tif 000014
【図１３】
2004295739.tif 000015
【図１４】
2004295739.tif 000016
【図１５】
2004295739.tif 000017
【図１６】
2004295739.tif 000018
【図１７】
2004295739.tif 000019
【図１８】
2004295739.tif 000020
【図１９】
2004295739.tif 000021
【図２０】
2004295739.tif 000022
【図２１】
2004295739.tif 000023
【図２２】
2004295739.tif 000024
【図２３】
2004295739.tif 000025